(57)【要約】【課題】画像処理のブラケティングモードおよび画像処理しないでデータを記録するモードの動作を適切に行うようにした電子カメラを得る。【解決手段】電子カメラがホワイトバランスブラケティングモードへ設定され（Ｓ１２１）、電子カメラが画質モード１に設定されている状態（Ｓ１３１を肯定判定）では、電子カメラは画質モード１と画質モード５との両方を選択する（Ｓ１３２）。電子カメラがホワイトバランスブラケティングモードに設定されている状態（Ｓ１０４を肯定判定）で、画質モード２から画質モード１への変更を禁止し（Ｓ１０５を肯定判定、Ｓ１０６をスキップ）、画質モード１と画質モード５との両方を選択する（Ｓ１０９）。また、電子カメラが画質モード１と画質モード５との両方の選択から画質モード１へ変更操作されたとき（Ｓ１１１を肯定変定）、ホワイトバランスブラケティングモードに設定されている場合（Ｓ１１３を肯定判定）は変更を禁止する（Ｓ１１１をスキップ）。【選択図】図８
2008306743.tif 000002
【特許請求の範囲】
【請求項１】
被写体像を撮像して画像データを出力する撮像素子と、
第１の動作指示に基づいて、前記撮像素子から出力される画像データを画像処理しないで記録する第１の撮影制御手段と、
第２の動作指示に基づいて、前記撮像素子から出力される画像データに対して所定の画像処理が行われた後の画像データを記録する第２の撮影制御手段と、
第３の動作指示に基づいて、前記画像処理なしの画像データ、および前記画像処理後の画像データをそれぞれ記録する第３の撮影制御手段と、
第４の動作指示に基づいて、前記所定の画像処理のうち少なくとも１つの画像処理についての処理パラメータを段階的に変更して前記撮像素子から出力される画像データに対して複数の画像処理を行わせるブラケティング制御手段と、
前記第１の動作指示および前記第４の動作指示の双方が行われたとき、前記第１の撮影制御手段に代えて前記第３の撮影制御手段に動作を指示する指示制御手段とを備えることを特徴とする電子カメラ。
【請求項２】
請求項１に記載の電子カメラにおいて、
前記画像処理は、色調整処理を含むことを特徴とする電子カメラ。
【請求項３】
請求項２に記載の電子カメラにおいて、
前記画像処理は、画像圧縮処理をさらに含み、
前記第２の撮影制御手段は、複数の画像圧縮率のうちいずれか１つの圧縮率で前記画像圧縮処理を行い、
前記第３の撮影制御手段は、前記複数の画像圧縮率のうち最も高い圧縮率で前記画像圧縮処理を行うことを特徴とする電子カメラ。
【請求項４】
被写体像を撮像して画像データを出力する撮像素子と、
前記撮像素子から出力される画像データ、および前記画像データに対して色温度に基づく第１の基準を用いて色調整処理が行われた後の画像データをそれぞれ記録する撮影制御手段と、
前記第１の基準と異なる第２の基準を用いて前記撮像素子から出力される画像データに対して色調整処理が行われた後の画像データをさらに記録するブラケティング制御手段とを備えることを特徴とする電子カメラ。
【発明の詳細な説明】
【技術分野】
【０００１】
本発明は、撮像素子などによって撮像した画像データを記録する電子カメラに関する。
【背景技術】
【０００２】
撮像された画像データに対する色温度調整の基準を段階的に変化させ、それぞれのホワイトバランス（ＷＢ）調整値を用いてＷＢ調整処理を施した複数の画像データを記録するカメラ、すなわち、ＷＢブラケティングを行うカメラが知られている（特許文献１参照）。
【０００３】
【特許文献１】特開２００１−３３３４３２号公報
【発明の開示】
【発明が解決しようとする課題】
【０００４】
一方、撮像された画像データに画像処理をしないで「ＲＡＷデータ」のまま記録したいという要求もある。ＷＢ調整は画像処理に含まれるので、画像処理を省くとＷＢ調整も省略される。このため、ＷＢブラケティングを行う設定と、「ＲＡＷデータ」を記録する設定とがともに行われると、両者の動作が競合してしまう。画像処理前のデータと画像処理後のデータとを単に両方記録するだけでは、記録媒体の記録エリアの消費を早めてしまう。
【０００５】
本発明は、画像処理のブラケティングモードおよび画像処理しないでデータを記録するモードの動作を適切に行うようにした電子カメラを提供するものである。
【課題を解決するための手段】
【０００６】
本発明による電子カメラは、被写体像を撮像して画像データを出力する撮像素子と、第１の動作指示に基づいて、撮像素子から出力される画像データを画像処理しないで記録する第１の撮影制御手段と、第２の動作指示に基づいて、撮像素子から出力される画像データに対して所定の画像処理が行われた後の画像データを記録する第２の撮影制御手段と、第３の動作指示に基づいて、画像処理なしの画像データ、および画像処理後の画像データをそれぞれ記録する第３の撮影制御手段と、第４の動作指示に基づいて、所定の画像処理のうち少なくとも１つの画像処理についての処理パラメータを段階的に変更して撮像素子から出力される画像データに対して複数の画像処理を行わせるブラケティング制御手段と、第１の動作指示および第４の動作指示の双方が行われたとき、第１の撮影制御手段に代えて第３の撮影制御手段に動作を指示する指示制御手段とを備えることを特徴とする。
画像処理は、色調整処理を含めてもよい。さらに、画像圧縮処理を含めてもよく、この場合の第２の撮影制御手段は、複数の画像圧縮率のうちいずれか１つの圧縮率で画像圧縮処理を行い、第３の撮影制御手段は、複数の画像圧縮率のうち最も高い圧縮率で画像圧縮処理を行うこともできる。
本発明による電子カメラは、被写体像を撮像して画像データを出力する撮像素子と、撮像素子から出力される画像データ、および画像データに対して色温度に基づく第１の基準を用いて色調整処理が行われた後の画像データをそれぞれ記録する撮影制御手段と、第１の基準と異なる第２の基準を用いて撮像素子から出力される画像データに対して色調整処理が行われた後の画像データをさらに記録するブラケティング制御手段とを備えることを特徴とする。
【発明の効果】
【０００７】
本発明による電子カメラでは、画像処理のブラケティングモードおよび画像処理しないでデータを記録するモードの動作を適切に行うことができる。
【発明を実施するための最良の形態】
【０００８】
以下、図面を参照して本発明を実施するための最良の形態について説明する。
（第一の実施形態）
図１は、本発明の第一の実施の形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１２１は、ＣＣＤイメージセンサなどによって構成される。撮像素子１２１は、撮影レンズＬを通過した被写体光による像を撮像し、撮像信号をＡ／Ｄ変換回路１２２へ出力する。
【０００９】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動される。
【００１０】
撮像信号処理回路を構成するＡＳＩＣ１２３は、ディジタル変換後の信号に所定の画像処理を行う。画像処理は、ホワイトバランス（ＷＢ）調整処理、画像データを所定の形式（たとえば、ＪＰＥＧ）で圧縮する圧縮処理、圧縮処理後のデータを伸長する伸長処理を含む。バッファメモリ１２５は、ＡＳＩＣ１２３によって信号処理された画像データを逐次入力し、当該データを一時的に格納する。記録媒体１２６は、着脱可能なフラッシュメモリなどによって構成される。記録媒体１２６は、バッファメモリ１２５に一時格納されている画像データを記録する。
【００１１】
スイッチＳＷ１は、不図示の画質モードボタンの押し下げ操作に連動して操作信号を演算回路１０１へ出力する。演算回路１０１は、画質モードボタンが押し下げ操作されている間に不図示のコマンドダイヤルが回転操作されると、操作に応じて記録画質（画質モード）を選択し、選択した記録画質をＡＳＩＣ１２３へ指示する。記録画質は、記録媒体１２６に画像データを記録する際の画像処理の有無および圧縮処理時の圧縮率の違いにより、次の５段階に分けられている。
【００１２】
画質モード１：画像データに画像処理を施さずに記録する「ＲＡＷ」
画質モード２：画像処理後の画像データを非圧縮のＲＧＢ−ＴＩＦＦ形式で記録する「ＴＩＦＦ」
画質モード３：画像処理後の画像データを圧縮率約１／４で記録する「ＦＩＮＥ」
画質モード４：画像処理後の画像データを圧縮率約１／８で記録する「ＮＯＲＭＡＬ」
画質モード５：画像処理後の画像データを圧縮率約１／１６で記録する「ＢＡＳＩＣ」
画質モード１側が高画質であり、画質モード５側が低画質である。画質モード３〜画質モード５の圧縮処理はＪＰＥＧ形式で行う。本実施の形態では、１回の撮影時に画質モード１（ＲＡＷ）による記録および画質モード５（ＢＡＳＩＣ）による記録を両方行う選択も可能に構成されている。
【００１３】
スイッチＳＷ２は、不図示のホワイトバランスブラケティングボタンの押し下げ操作に連動して操作信号を演算回路１０１へ出力する。演算回路１０１は、ホワイトバランスブラケティングボタンが押し下げ操作されている間に不図示のコマンドダイヤルが回転操作されると、操作に応じてホワイトバランスブラケティングを設定／解除する。
【００１４】
ホワイトバランスブラケティングは、撮像された画像データに対する色温度調整の基準を変更してホワイトバランス調整値を段階的に変化させ、それぞれのホワイトバランス調整値を用いてホワイトバランス調整した複数の画像を得るものである。本実施の形態では、１回の撮影時にホワイトバランス調整値を３段階に変化させて３つの画像データを得る。つまり、撮像素子１２１から出力された画像データに３通りのホワイトバランス調整を行う。ここで、ホワイトバランス調整値の変更は、たとえば、ミレッド値の変更によって行われる。ミレッド値を＋方向に変更すると画像の色が青みがかり、−方向に変更すると画像の色が赤みがかる。ホワイトバランスブラケティングを設定して撮影を行うと、カメラにあらかじめ設定されているホワイトバランス調整値による画像、この画像に対して青みがかった画像および赤みがかった画像の計３画像の画像データが記録媒体１２６に記録される。
【００１５】
スイッチＳＷ３およびスイッチＳＷ４は、不図示のコマンドダイヤルの回転操作に応じて回転方向および回転量を示す操作信号を演算回路１０１へ出力する。演算回路１０１は、両スイッチからの信号の位相関係によって回転方向を検出し、信号のレベル変化の回数によって回転量（ダイヤル操作量）を検出する。
【００１６】
レリーズスイッチＳＷ５は、不図示のレリーズ操作ボタンの押し下げに連動してレリーズ操作信号を演算回路１０１へ出力する。表示装置１０２は、演算回路１０１の指令により少なくとも画質モードの選択状態、ホワイトバランスブラケティングの設定／解除の状態を表示する。表示装置１０２には、シャッタ速度、絞り値などを表示させてもよい。
【００１７】
測光装置１０３は、撮影レンズＬを透過した光量を検出し、検出信号を演算回路１０１へ出力する。モータ駆動回路１０４は、演算回路１０１の指令によってシーケンスモータ１０５を駆動制御する。シーケンススイッチＳＷ６は、不図示のシーケンス駆動装置を構成し、シーケンスモータ１０５のブレーキ制御タイミングなどを発生するスイッチである。シーケンスモータ１０５は、不図示のシーケンス駆動装置を構成し、不図示のミラーのアップ／ダウン、不図示の絞りの駆動、およびシャッタ１０７のチャージなどを行う。シャッタ制御回路１０６は、シャッタ１０７の不図示の先幕および後幕の保持および解除をそれぞれ制御する。
【００１８】
絞り位置検出装置１０８は、絞り値に対応する絞り位置を検出して検出信号を演算回路１０１に出力する。絞り係止装置１０９は、駆動中の絞りを係止し、所定の絞り値で絞りを停止させる。
【００１９】
本発明は、上述した電子カメラのホワイトバランスブラケティングモードと、画質モード１とを両方設定しようとする場合の動作に特徴を有する。とくに、第一の実施の形態では、電子カメラに画質モード１（ＲＡＷ）を設定した状態でホワイトバランスブラケティングモードへの設定操作を禁止するとともに、電子カメラにホワイトバランスブラケティングを設定した状態で画質モード１（ＲＡＷ）への選択操作を禁止する。電子カメラは、画質モード１および画質モード５の両方が選択されているとき、画像処理を施さない画像データを画質モード１で、ホワイトバランスブラケティング処理後の画像データを画質モード５で、それぞれ記録する。
【００２０】
第一の実施の形態による電子カメラの演算回路１０１で行われるカメラ動作の処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、ホワイトバランスブラケティングフラグＳを０に、画質モードパラメータＱを２に、ホワイトバランスブラケティング記録回数パラメータｎを１に、それぞれセットしてステップＳ２へ進む。
【００２１】
ここで、ホワイトバランスブラケティングフラグＳは、ホワイトバランスブラケティングモードが設定されると１に、解除されると０にセットされるフラグである。初期設定においては、ホワイトバランスブラケティングモードが解除される。画質モードパラメータＱは、上述した画質モード１〜５に対応してそれぞれＱ＝５〜１がセットされる。Ｑ＝０は、画質モード１および画質モード５の両方を同時に選択する場合が対応する。初期設定では、画質モード４（ＮＯＲＭＡＬ）に設定される。
【００２２】
ブラケティング記録回数パラメータｎは、ホワイトバランスブラケティングによる複数の画像処理（ホワイトバランス調整処理）のうち、何画像目の画像処理を行っているかを示すパラメータである。本実施の形態によるホワイトバランスブラケティングは、ホワイトバランス調整値を変えて３回画像処理を行うので、ｎは１、２、３のいずれかの値をとる。
【００２３】
ステップＳ２において、演算回路１０１は、設定処理を行ってステップＳ３へ進む。設定処理の詳細については後述する。ステップＳ３において、演算回路１０１は、測光装置１１１から入力される検出信号によってレンズ透過光量（ＢＶ−ＡＶ０）を検出する測光を行うとともに被写体輝度ＢＶを算出し、ステップＳ４へ進む。なお、被写体輝度ＢＶは、レンズ透過光量（ＢＶ−ＡＶ０）に開放絞り値ＡＶ０を加算することにより求めることができる。開放絞り値ＡＶ０は、撮影レンズＬの開放Ｆ値に対応する。
【００２４】
ステップＳ４において、演算回路１０１は、露出演算処理を行ってステップＳ５へ進む。露出演算処理は、たとえば、プログラム自動露出演算を行う。この場合の演算回路１０１は、適正露出が得られるように撮像素子１２１の露光時間および絞り値を所定の組み合わせで変更可能にして制御露出を演算する。ステップＳ５において、演算回路１０１は、表示装置１０２に対する表示処理を行ってステップＳ６へ進む。表示処理の詳細については後述する。
【００２５】
ステップＳ６において、演算回路１０１は、レリーズスイッチＳＷ５が操作されたか否かを判定する。演算回路１０１は、レリーズスイッチＳＷ５から操作信号が入力された場合にステップＳ６を肯定判定してステップＳ７へ進み、レリーズスイッチＳＷ５から操作信号が入力されない場合にステップＳ６を否定判定してステップＳ２へ戻る。
【００２６】
ステップＳ７において、演算回路１０１は、撮像シーケンス処理を行ってステップＳ２へ戻る。撮像シーケンス処理の詳細については後述する。これにより、一連の撮影処理が終了する。
【００２７】
設定処理の詳細について、図３のフローチャートを参照して説明する。ステップＳ１０１において、演算回路１０１は、画質モードボタン（不図示）が押下されているか否かを判定する。演算回路１０１は、スイッチＳＷ１から操作信号が入力されている場合にステップＳ１０１を肯定判定してステップＳ１０２へ進み、操作信号が入力されていない場合にステップＳ１０１を否定判定してステップＳ１１５へ進む。
【００２８】
ステップＳ１０２において、演算回路１０１は、不図示のコマンドダイヤルが時計回転の方向に回転操作されているか否かを判定する。演算回路１０１は、スイッチＳＷ３およびスイッチＳＷ４からの入力信号が時計方向の回転を示す場合にステップＳ１０２を肯定判定してステップＳ１０３へ進み、入力信号が時計方向の回転を示さない場合にはステップＳ１０２を否定判定してステップＳ１１０へ進む。
【００２９】
ステップＳ１０３において、演算回路１０１は、画質モードパラメータＱ＝５か否かを判定する。演算回路１０１は、Ｑ＝５（画質モード１）の場合にステップＳ１０３を肯定判定してステップＳ１０９へ進み、Ｑ≠５の場合にステップＳ１０３を否定判定してステップＳ１０４へ進む。
【００３０】
ステップＳ１０４において、演算回路１０１は、ホワイトバランスブラケティングフラグＳ＝１か否かを判定する。演算回路１０１は、Ｓ＝１（ホワイトバランスブラケティングモードに設定されている）の場合にステップＳ１０４を肯定判定してステップＳ１０５へ進み、Ｓ＝０（ホワイトバランスブラケティングモードが解除されている）の場合にステップＳ１０４を否定判定してステップＳ１０６へ進む。
【００３１】
ステップＳ１０５において、演算回路１０１は、画質モードパラメータＱ＝４か否かを判定する。演算回路１０１は、Ｑ＝４（画質モード２）の場合にステップＳ１０５を肯定判定してステップＳ１０７へ進み、Ｑ≠４の場合にステップＳ１０５を否定判定してステップＳ１０６へ進む。ステップＳ１０７へ進む場合は、Ｑ＝４（画質モード２）→Ｑ＝５（画質モード１）への変更を禁止する。この理由は、画像処理を行うホワイトバランスブラケティングモードが設定されている状態で画像処理を施さずに記録するＱ＝５（画質モード１）への変更をしても無意味なためである。
【００３２】
ステップＳ１０６において、演算回路１０１は、Ｑに１を加えるとともに画質モードを高画質側に１段階変更してステップＳ１０７へ進む。ステップＳ１０７において、演算回路１０１は、表示装置１０２に指令を出力し、画質モードパラメータＱに対応する画質モードを示す表示を点灯表示させてステップＳ１０８へ進む。
【００３３】
ステップＳ１０８において、演算回路１０１は、画質モードボタンが押下されているか否かを判定する。演算回路１０１は、スイッチＳＷ１から操作信号が継続して入力されている場合にステップＳ１０８を肯定判定してステップＳ１０２へ戻り、操作信号が入力されていない場合にはステップＳ１０８を否定判定し、図３による処理を終了して図２のステップＳ３へ進む。
【００３４】
ステップＳ１０９において、演算回路１０１は、画質モードパラメータＱを０にするとともに、上記画質モード１（ＲＡＷ）および画質モード５（ＢＡＳＩＣ）の両方で記録するように画質モードを設定（ＲＡＷ＋ＢＡＳＩＣ）してステップＳ１０７へ進む。
【００３５】
以上説明したように、画質モードボタン（不図示）が押下された状態でコマンドダイヤル（不図示）が時計方向に回転されると、画質モードが「ＢＡＳＩＣ」→「ＮＯＲＭＡＬ」→「ＦＩＮＥ」→「ＴＩＦＦ」→「ＲＡＷ」→「ＲＡＷ＋ＢＡＳＩＣ」→「ＢＡＳＩＣ」→「ＮＯＲＭＡＬ」…の順にサイクリックに変更される。ただし、ホワイトバランスブラケティングモードの設定時は、「ＴＩＦＦ」→「ＲＡＷ」への変更を禁止する。「ＲＡＷ＋ＢＡＳＩＣ」はＱ＝０に対応する。
【００３６】
上述したステップＳ１０２を否定判定して進むステップＳ１１０において、演算回路１０１は、不図示のコマンドダイヤルが反時計回転の方向に回転操作されているか否かを判定する。演算回路１０１は、スイッチＳＷ３およびスイッチＳＷ４からの入力信号が反時計方向の回転を示す場合にステップＳ１１０を肯定判定してステップＳ１１１へ進み、入力信号が反時計方向の回転を示さない場合にステップＳ１１０を否定判定してステップＳ１０７へ進む。
【００３７】
ステップＳ１１１において、演算回路１０１は、画質モードパラメータＱ＝０か否かを判定する。演算回路１０１は、Ｑ＝０（ＲＡＷ＋ＢＡＳＩＣ）の場合にステップＳ１１１を肯定判定してステップＳ１１３へ進み、Ｑ≠０の場合にステップＳ１１１を否定判定してステップＳ１１２へ進む。
【００３８】
ステップＳ１１２において、演算回路１０１は、Ｑから１を引くとともに画質モードを低画質側に１段階変更してステップＳ１０７へ進む。ステップＳ１１３において、演算回路１０１は、ホワイトバランスブラケティングフラグＳ＝１か否かを判定する。演算回路１０１は、Ｓ＝１（ホワイトバランスブラケティングモードに設定されている）の場合にステップＳ１１３を肯定判定してステップＳ１０７へ進み、Ｓ＝０（ホワイトバランスブラケティングモードが解除されている）の場合にステップＳ１１３を否定判定してステップＳ１１４へ進む。ステップＳ１０７へ進む場合は、Ｑ＝０（画質モード１および画質モード５の両方）→Ｑ＝５（画質モード１）への変更を禁止する。この理由は、画像処理を行うホワイトバランスブラケティングモードが設定されている状態で画像処理を施さずに記録するＱ＝５（ＲＡＷ）への変更をしても無意味なためである。
【００３９】
ステップＳ１１４において、演算回路１０１は、画質モードパラメータＱを５にするとともに、上記画質モード１（ＲＡＷ）で記録するように画質モードを設定してステップＳ１０７へ進む。以上説明したように、画質モードボタン（不図示）が押下された状態でコマンドダイヤル（不図示）が反時計方向に回転されると、画質モードが「ＲＡＷ」→「ＴＩＦＦ」→「ＦＩＮＥ」→「ＮＯＲＭＡＬ」→「ＢＡＳＩＣ」→「ＲＡＷ＋ＢＡＳＩＣ」→「ＲＡＷ」…の順にサイクリックに変更される。ただし、ホワイトバランスブラケティングモードの設定時は、「ＲＡＷ＋ＢＡＳＩＣ」→「ＲＡＷ」への変更を禁止する。
【００４０】
上述したステップＳ１０１を否定判定して進むステップＳ１１５において、演算回路１０１は、ホワイトバランスブラケティングボタン（不図示）が押下されているか否かを判定する。演算回路１０１は、スイッチＳＷ２から操作信号が入力されている場合にステップＳ１１５を肯定判定してステップＳ１１６へ進み、操作信号が入力されていない場合にステップＳ１１５を否定判定し、図３による処理を終了して図２のステップＳ３へ進む。
【００４１】
ステップＳ１１６において、演算回路１０１は、不図示のコマンドダイヤルが回転操作されているか否かを判定する。演算回路１０１は、スイッチＳＷ３およびスイッチＳＷ４から信号が入力されるとステップＳ１１６を肯定判定してステップＳ１１７へ進み、入力信号がない場合にステップＳ１１６を否定判定してステップＳ１２３へ進む。
【００４２】
ステップＳ１１７において、演算回路１０１は、画質モードパラメータＱ＝５か否かを判定する。演算回路１０１は、Ｑ＝５（ＲＡＷ）の場合にステップＳ１１７を肯定判定してステップＳ１２０へ進み、Ｑ≠５の場合にステップＳ１１７を否定判定してステップＳ１１８へ進む。ステップＳ１２０へ進む場合は、ホワイトバランスブラケティングモードへの設定を禁止する。この理由は、画像処理を施さずに記録するＱ＝５（ＲＡＷ）が選択されている状態で画像処理を行うホワイトバランスブラケティングモードへの変更をしても無意味なためである。
【００４３】
ステップＳ１１８において、演算回路１０１は、ホワイトバランスブラケティングフラグＳ＝１か否かを判定する。演算回路１０１は、Ｓ＝１（ホワイトバランスブラケティングモードに設定されている）の場合にステップＳ１１８を肯定判定してステップＳ１１９へ進み、Ｓ＝０（ホワイトバランスブラケティングモードが解除されている）の場合にステップＳ１１８を否定判定してステップＳ１２１へ進む。
【００４４】
ステップＳ１１９において、演算回路１０１は、ホワイトバランスブラケティングフラグＳを０にするとともに、ホワイトバランスブラケティングモードを解除してステップＳ１２０へ進む。
【００４５】
ステップＳ１２１において、演算回路１０１は、ホワイトバランスブラケティングフラグＳを１にするとともに、ホワイトバランスブラケティングモードに設定してステップＳ１２２へ進む。ステップＳ１２２において、演算回路１０１は表示装置１０２に指令を出力し、ホワイトバランスブラケティングモードに設定されていることを示すマークなどを点灯表示させてステップＳ１２０へ進む。
【００４６】
ステップＳ１２３において、演算回路１０１は、ホワイトバランスブラケティングフラグＳ＝１か否かを判定する。演算回路１０１は、Ｓ＝１（ホワイトバランスブラケティングモードに設定されている）の場合にステップＳ１２３を肯定判定してステップＳ１２２へ進み、Ｓ＝０（ホワイトバランスブラケティングモードが解除されている）の場合にステップＳ１２３を否定判定してステップＳ１２０へ進む。
【００４７】
ステップＳ１２０において、演算回路１０１は、ホワイトバランスブラケティングボタン（不図示）が押下されているか否かを判定する。演算回路１０１は、スイッチＳＷ２から操作信号が継続して入力されている場合にステップＳ１２０を肯定判定してステップＳ１１６へ戻り、操作信号が入力されていない場合にステップＳ１２０を否定判定し、図３による処理を終了して図２のステップＳ３へ進む。
【００４８】
表示処理の詳細について、図４のフローチャートを参照して説明する。ステップＳ２０１において、演算回路１０１は、画質モードパラメータＱ＝０か否かを判定する。演算回路１０１は、Ｑ＝０（ＲＡＷ＋ＢＡＳＩＣ）の場合にステップＳ２０１を肯定判定してステップＳ２０２へ進み、Ｑ≠０の場合にステップＳ２０１を否定判定してステップＳ２０５へ進む。
【００４９】
ステップＳ２０２において、演算回路１０１は、ホワイトバランスブラケティングフラグＳ＝１か否かを判定する。演算回路１０１は、Ｓ＝１（ホワイトバランスブラケティングが設定されている）の場合にステップＳ２０２を肯定判定してステップＳ２０３へ進み、Ｓ＝０（ホワイトバランスブラケティングが解除されている）の場合にステップＳ２０２を否定判定してステップＳ２０４へ進む。
【００５０】
ステップＳ２０３において、演算回路１０１は、シャッタ速度および絞り値を示す値、画質モード（記録画質）を示す「ＲＡＷ」ならびに「ＢＡＳＩＣ」、およびホワイトバランスブラケティング設定を示すマークなどの表示をそれぞれ表示装置１０２に表示させて図４による処理を終了し、図２のステップＳ６へ進む。ステップＳ２０４において、演算回路１０１は、シャッタ速度および絞り値を示す値と、画質モード（記録画質）を示す「ＲＡＷ」ならびに「ＢＡＳＩＣ」表示とを表示装置１０２にそれぞれ表示させて図４による処理を終了し、図２のステップＳ６へ進む。
【００５１】
ステップＳ２０５において、演算回路１０１は、ホワイトバランスブラケティングフラグＳ＝１か否かを判定する。演算回路１０１は、Ｓ＝１（ホワイトバランスブラケティングが設定されている）の場合にステップＳ２０５を肯定判定してステップＳ２０６へ進み、Ｓ＝０（ホワイトバランスブラケティングが解除されている）の場合にステップＳ２０５を否定判定してステップＳ２０７へ進む。
【００５２】
ステップＳ２０６において、演算回路１０１は、シャッタ速度および絞り値を示す値、設定されている画質モード（記録画質）を示す文字、およびホワイトバランスブラケティング設定を示すマークなどの表示をそれぞれ表示装置１０２に表示させて図４による処理を終了し、図２のステップＳ６へ進む。ステップＳ２０７において、演算回路１０１は、シャッタ速度および絞り値を示す値と、設定されている画質モード（記録画質）を示す文字とを表示装置１０２にそれぞれ表示させて図４による処理を終了し、図２のステップＳ６へ進む。
【００５３】
撮像シーケンス処理について、図５〜図７のフローチャートを参照して説明する。図５のステップＳ３０１において、演算回路１０１は、シャッタ制御回路１０６に指令を出力し、シャッタ１０７の不図示のマグネットに通電して先幕および後幕を保持させる。ステップＳ３０２において、演算回路１０１は、モータ駆動回路１０４に指令を出力し、シーケンスモータ１０５に正転を開始させてステップＳ３０３へ進む。これにより、不図示のミラーのミラーアップおよび絞りの絞り込みが開始される。
【００５４】
ステップＳ３０３において、演算回路１０１は、絞り位置検出装置１０８から入力される検出信号によって駆動絞りパルスＰｋを検出してステップＳ３０４へ進む。ステップＳ３０４において、演算回路１０１は、制御絞り値ＡＶｃに対応するパルス数Ｐｃとの間にＰｋ≧Ｐｃが成立するか否かを判定する。ここで、制御絞り値ＡＶｃは、ステップＳ４の露出演算処理で得られるものである。演算回路１０１は、Ｐｋ≧Ｐｃが成立する場合にステップＳ３０４を肯定判定してステップＳ３０５へ進み、Ｐｋ≧Ｐｃが成立しない場合にステップＳ３０４を否定判定する。否定判定する場合には、絞り込みを継続してステップＳ３０３の判定処理が繰り返される。
【００５５】
ステップＳ３０５において、演算回路１０１は、絞り係止装置１０９に指令を出力して絞りを係止させ、ステップＳ３０６へ進む。ステップＳ３０６において、演算回路１０１は、ミラーアップが終了したか否かを判定する。演算回路１０１は、シーケンススイッチＳＷ６からオン信号が入力されるとステップＳ３０６を肯定判定してステップＳ３０７へ進み、シーケンススイッチＳＷ６からオン信号が入力されない場合はステップＳ３０６を否定判定する。否定判定する場合には、ミラーアップを継続してステップＳ３０６の判定処理が繰り返される。
【００５６】
ステップＳ３０７において、演算回路１０１は、モータ駆動回路１０４に指令を出力し、シーケンスモータ１０５の正転を停止させてステップＳ３０８へ進む。なお、ミラーアップの終了より先に絞り係止装置１０９によって絞りの係止が終了するように、不図示のシーケンス駆動装置が構成されている。ステップＳ３０８において、演算回路１０１は、時間ｔを０にリセットしてステップＳ３０９へ進む。
【００５７】
ステップＳ３０９において、演算回路１０１は、タイミング回路１２４に駆動信号の発生を開始させてステップＳ３１０へ進む。これにより、撮像素子１２１が電荷蓄積を開始する。なお、この時点ではシャッタ先幕の保持が解除されていないため、被写体光は撮像素子１２１の撮像面に到達していない。ステップＳ３１０において、演算回路１０１は、時間ｔの計時を開始してステップＳ３１１へ進む。ｔの初期値は０である。
【００５８】
ステップＳ３１１において、演算回路１０１は、シャッタ制御回路１０６に指令を出力し、シャッタ１０７の不図示のマグネットへの通電を解除して先幕保持を解除させ、ステップＳ３１２へ進む。これによってシャッタ先幕の走行が開始される。
【００５９】
ステップＳ３１２において、演算回路１０１は、計時時間ｔと制御シャッタ速度時間Ｔｃとの間にｔ≧Ｔｃが成立するか否かを判定する。ここで、制御シャッタ速度時間Ｔｃは、ステップＳ４の露出演算処理で得られるものである。演算回路１０１は、ｔ≧Ｔｃが成立する場合にステップＳ３１２を肯定判定してステップＳ３１３へ進み、ｔ≧Ｔｃが成立しない場合にステップＳ３１２を否定判定して判定処理を繰り返す。
【００６０】
ステップＳ３１３において、演算回路１０１は、計時時間ｔを０にリセットしてステップＳ３１４へ進む。以後の計時は、後幕保持解除後の時間を計時する。ステップＳ３１４において、演算回路１０１は、シャッタ制御回路１０６に指令を出力し、シャッタ１０７の不図示のマグネットへの通電を解除して後幕保持を解除させ、ステップＳ３１５へ進む。これによってシャッタ後幕の走行が開始され、撮像素子１２１へ入射する被写体光が遮断される。
【００６１】
ステップＳ３１５において、演算回路１０１は、所定時間ＴＲのウエイトをおいてステップＳ３１６へ進む。ウエイト時間は、後幕が撮像素子１２１の撮像領域を完全に遮光し、走行を完了するまでに要する時間とする。このウエイトの間、撮像素子１２１の撮像動作は継続される。ステップＳ３１６において、演算回路１０１は、タイミング回路１２４による撮像素子１２１の駆動を停止させてステップＳ３１７へ進む。この結果、撮像素子１２１は、電荷蓄積を終了する。ステップＳ３１７において、演算回路１０１は、時間ｔの計時を停止してステップＳ３１８へ進む。
【００６２】
ステップＳ３１８において、演算回路１０１は、モータ駆動回路１０４に指令を出力し、シーケンスモータ１０５に逆転を開始させてステップＳ３１９へ進む。これにより、不図示のミラーのミラーダウンおよび絞りの開放復帰が開始される。ステップＳ３１９において、演算回路１０１は、タイミング回路１２４に指令を出力し、撮像素子１２１から画像信号の読み出しを開始させ、ステップＳ３２０へ進む。これにより、撮像素子１２１から蓄積電荷による画像信号が出力され、Ａ／Ｄ変換回路１２２でデジタルデータに変換される。ステップＳ３２０において、演算回路１０１は、デジタルデータをバッファメモリ１２５に一旦格納し、ステップＳ３２１へ進む。
【００６３】
ステップＳ３２１において、演算回路１０１は、画質モードパラメータＱが０か否かを判定する。演算回路１０１は、パラメータＱ＝０（ＲＡＷ＋ＢＡＳＩＣ）の場合にステップＳ３２１を肯定判定して図７のステップＳ３４１へ進み、Ｑ≠０の場合にステップＳ３２１を否定判定してステップＳ３２２へ進む。
【００６４】
ステップＳ３２２において、演算回路１０１は、画質モードパラメータＱが５か否かを判定する。演算回路１０１は、パラメータＱ＝５（ＲＡＷ）の場合にステップＳ３２２を肯定判定してステップＳ３２６へ進む。この場合は、画像データに画像処理を施さない。一方、演算回路１０１は、パラメータＱ≠５の場合にステップＳ３２２を否定判定してステップＳ３２３へ進む。この場合は、画像処理を施す。
【００６５】
ステップＳ３２３において、演算回路１０１は、デジタルデータをＡＳＩＣ１２３へ送り、画像処理（ホワイトバランス調整、輪郭補償、ガンマ補正など）を指示してステップＳ３２４へ進む。ステップＳ３２４において、演算回路１０１は、画質モードパラメータＱが４か否かを判定する。演算回路１０１は、パラメータＱ＝４（ＴＩＦＦ）の場合にステップＳ３２４を肯定判定してステップＳ３２６へ進み、パラメータＱ＝１〜３の場合にステップＳ３２４を否定判定してステップＳ３２５へ進む。ステップＳ３２６へ進む場合は、画像データに圧縮処理を施さない場合である。ステップＳ３２５へ進む場合は、画像データに圧縮処理を施す場合である。
【００６６】
ステップＳ３２５において、演算回路１０１は、ＡＳＩＣ１２３に圧縮処理を指示してステップＳ３２６へ進む。圧縮率は、画質モードに応じた圧縮率である。ステップＳ３２６において、演算回路１０１は、画像データを記録媒体１２６に記録してステップＳ３２７へ進む。記録は、設定されている画質モードに応じて行う。
【００６７】
ステップＳ３２７において、演算回路１０１は、ホワイトバランスブラケティング記録回数パラメータｎ＝１か否かを判定する。演算回路１０１は、パラメータｎ＝１の場合にステップＳ３２７を肯定判定してステップＳ３２８へ進む。この場合は、ホワイトバランスブラケティング設定時の１画像目の画像処理、もしくはホワイトバランスブラケティングが解除されている場合である。一方、演算回路１０１は、パラメータｎ＝２、３の場合にステップＳ３２７を否定判定して図６のステップＳ３３４へ進む。この場合は、ホワイトバランスブラケティング設定時に２画像目もしくは３画像目の画像処理を行う場合である。
【００６８】
ステップＳ３２８において、演算回路１０１は、ミラーダウンが終了したか否かを判定する。演算回路１０１は、シーケンススイッチＳＷ６からオン信号が入力されるとステップＳ３２８を肯定判定して図６のステップＳ３３１へ進み、シーケンススイッチＳＷ６からオン信号が入力されない場合は、ステップＳ３２８を否定判定してステップＳ３２８の判定処理を繰り返す。
【００６９】
図６のステップＳ３３１において、演算回路１０１は、モータ駆動回路１０４に指令を出力し、シーケンスモータ１０５の逆転を停止させてステップＳ３３２へ進む。ステップＳ３３２において、演算回路１０１は、ホワイトバランスブラケティングフラグＳ＝１か否かを判定する。演算回路１０１は、Ｓ＝１（ホワイトバランスブラケティングが設定されている）の場合にステップＳ３３２を肯定判定してステップＳ３３４へ進み、Ｓ＝０（ホワイトバランスブラケティングが解除されている）の場合にステップＳ３３２を否定判定してステップＳ３３３へ進む。ステップＳ３３３において、演算回路１０１は、バッファメモリ１２５に一旦格納した画像データを破棄して図６による処理を終了し、図２のステップＳ２へ戻る。これにより、一連の撮影処理が終了する。
【００７０】
ステップＳ３３４において、演算回路１０１は、ホワイトバランスブラケティング記録回数パラメータｎ＝３か否かを判定する。演算回路１０１は、パラメータｎ＝３の場合にステップＳ３３４を肯定判定してステップＳ３３５へ進み、パラメータｎ＝１または２の場合にステップＳ３３４を否定判定してステップＳ３３６へ進む。ステップＳ３３５へ進む場合は、ホワイトバランスブラケティング設定時の３画像の画像処理が終了している場合である。ステップＳ３３５において、演算回路１０１は、ホワイトバランスブラケティング記録回数パラメータｎに１をセットし、ステップＳ３３３へ進む。
【００７１】
ステップＳ３３６へ進む場合は、ホワイトバランスブラケティング設定時に２画像目もしくは３画像目の画像処理を行う場合である。ステップＳ３３６において、演算回路１０１は、ホワイトバランスブラケティング記録回数パラメータｎに１を加えてステップＳ３３７へ進む。ステップＳ３３７において、演算回路１０１は、ホワイトバランスブラケティング記録回数パラメータｎ＝２か否かを判定する。演算回路１０１は、パラメータｎ＝２の場合にステップＳ３３７を肯定判定してステップＳ３３８へ進む。この場合は、ホワイトバランスブラケティング設定時に２画像目の画像処理を行う場合である。ステップＳ３３８において、演算回路１０１は、ＡＳＩＣ１２３に指令を出力し、ミレッド値を基準値から−方向に所定量変更して画像処理を指示し、図５のステップＳ３２４へ戻る。これにより、ホワイトバランスの基準色温度を低く設定した画像処理が行われる。
【００７２】
一方、演算回路１０１は、パラメータｎ＝３の場合にステップＳ３３７を否定判定してステップＳ３３９へ進む。この場合は、ホワイトバランスブラケティング設定時に３画像目の画像処理を行う場合である。ステップＳ３３９において、演算回路１０１は、ＡＳＩＣ１２３に指令を出力し、ミレッド値を基準値から＋方向に所定量変更して画像処理を指示し、図５のステップＳ３２４へ戻る。これにより、ホワイトバランスの基準色温度を高く設定した画像処理が行われる。
【００７３】
図５のステップＳ３２１を肯定判定して進む図７のステップＳ３４１において、演算回路１０１は、演算回路１０１は、画像データを記録媒体１２６に記録してステップＳ３４２へ進む。この場合の記録は、画質モード１（ＲＡＷ）の記録である。ステップＳ３４２において、演算回路１０１は、ミラーダウンが終了したか否かを判定する。演算回路１０１は、シーケンススイッチＳＷ６からオン信号が入力されるとステップＳ３４２を肯定判定してステップＳ３４３へ進み、シーケンススイッチＳＷ６からオン信号が入力されない場合は、ステップＳ３４２を否定判定してステップＳ３４２の判定処理を繰り返す。
【００７４】
ステップＳ３４３において、演算回路１０１は、モータ駆動回路１０４に指令を出力し、シーケンスモータ１０５の逆転を停止させてステップＳ３４４へ進む。ステップＳ３４４において、演算回路１０１は、デジタルデータをＡＳＩＣ１２３へ送り、画像処理（ホワイトバランス調整、輪郭補償、ガンマ補正など）を指示してステップＳ３４５へ進む。
【００７５】
ステップＳ３４５において、演算回路１０１は、ＡＳＩＣ１２３に圧縮処理を指示してステップＳ３４６へ進む。圧縮率は、画質モード５（ＢＡＳＩＣ）に応じた約１／１６である。ステップＳ３４６において、演算回路１０１は、画像データを記録媒体１２６に記録してステップＳ３４７へ進む。この場合の記録は、画質モード画質モード５（ＢＡＳＩＣ）の記録である。
【００７６】
ステップＳ３４７〜ステップＳ３５４までの各処理は、図６のステップＳ３３２〜ステップＳ３３９までの各処理と同様なので説明を省略する。ただし、ステップＳ３５３およびステップＳ３５４の各処理後はステップＳ３４５へ戻る。
【００７７】
以上説明した第一の実施の形態についてまとめる。
（１）電子カメラに画質モード１（ＲＡＷ）を設定した状態（Ｓ１１７を肯定判定）でホワイトバランスブラケティングモードへの設定操作を禁止する（Ｓ１１８およびＳ１２１をスキップ）とともに、電子カメラにホワイトバランスブラケティングを設定した状態（Ｓ１０４を肯定判定）で画質モード１（ＲＡＷ）への選択操作を禁止する（Ｓ１０５を肯定判定およびＳ１０６をスキップ）ようにした。したがって、画像処理を行うホワイトバランスブラケティングモードの設定と、画像処理を施さずに記録する画質モード１（ＲＡＷ）の選択とが両立しないように制御できるので、互いの動作が競合することを防止できる。
【００７８】
（２）電子カメラで画質モード１（ＲＡＷ）と画質モード５（ＢＡＳＩＣ）との両方を選択可能にした。電子カメラは、ホワイトバランスブラケティングモードに設定されると、画像処理を施さない画像データを画質モード１で、ホワイトバランスブラケティング処理後の画像データを画質モード５で、それぞれ記録する。この結果、使用者の意図通りに画像データを記録することができる。また、ホワイトバランスブラケティング処理後の画像データを圧縮率が高い画質モード５で記録するようにしたので、記録媒体１２６の記録エリアの消費を抑えることができる。
【００７９】
（第二の実施形態）
第二の実施の形態では、電子カメラに画質モード１（ＲＡＷ）を設定した状態でホワイトバランスブラケティングモードへの設定操作が行われると、電子カメラは画質モード１（ＲＡＷ）と画質モード５（ＢＡＳＩＣ）との両方を自動的に選択する。また、電子カメラにホワイトバランスブラケティングを設定した状態で画質モード１（ＲＡＷ）への選択操作が行われると、電子カメラは画質モード１および画質モード５の両方を自動的に選択する。
【００８０】
第二の実施の形態による設定処理について、図８のフローチャートを参照して説明する。図８による設定処理は、図３による設定処理に代えて実行される。図８のフローチャートにおいて、図３のフローチャートと同一処理を行うステップには図３と同一ステップ番号を付して説明を省略する。図８における図３との相違点は、ステップＳ１０５を肯定判定した後にステップＳ１０９へ進む点と、ステップＳ１１７がスキップされる点と、ステップＳ１２１の後ろにステップＳ１３１およびＳ１３２が挿入される点である。
【００８１】
図８のステップＳ１０５において、演算回路１０１は、画質モードパラメータＱ＝４か否かを判定する。演算回路１０１は、Ｑ＝４（画質モード２（ＴＩＦＦ））の場合にステップＳ１０５を肯定判定してステップＳ１０９へ進み、Ｑ≠４の場合にステップＳ１０５を否定判定してステップＳ１０６へ進む。ステップＳ１０９へ進む場合は、Ｑ＝４（画質モード２）→Ｑ＝５（画質モード１）へ変更する代わりに、Ｑ＝４（画質モード２）→Ｑ＝０（ＲＡＷ＋ＢＡＳＩＣ）へ変更する。この理由は、画像処理を行うホワイトバランスブラケティングモードが設定されている状態で画像処理を施さずに記録するＱ＝５（画質モード１）への変更をしても無意味なためである。
【００８２】
ステップＳ１１６を肯定判定した場合、演算回路１０１は、ステップＳ１１８へ進む。ステップＳ１２１の次に進むステップＳ１３１において、演算回路１０１は、画質モードパラメータＱ＝５か否かを判定する。演算回路１０１は、Ｑ＝５（画質モード１）の場合にステップＳ１３１を肯定判定してステップＳ１３２へ進み、Ｑ≠５の場合にステップＳ１３１を否定判定してステップＳ１２２へ進む。
【００８３】
ステップＳ１３２において、演算回路１０１は、画質モードパラメータＱを０にするとともに、画質モード１（ＲＡＷ）と画質モード５（ＢＡＳＩＣ）との両方で記録するように画質モードを設定（ＲＡＷ＋ＢＡＳＩＣ）してステップＳ１２２へ進む。これにより、ホワイトバランスブラケティングモードに設定された（Ｓ１２１）ときＱ＝５（画質モード１）であれば（Ｓ１３１を肯定判定）、Ｑ＝０（ＲＡＷ＋ＢＡＳＩＣ）へ変更する。この理由は、画像処理を施さずに記録するＱ＝５（画質モード１）が設定されている状態で画像処理を行うホワイトバランスブラケティングモードへの設定変更をしても無意味なためである。
【００８４】
以上説明した第二の実施の形態についてまとめる。
（１）電子カメラがホワイトバランスブラケティングモードへ設定され（Ｓ１２１）、電子カメラが画質モード１（ＲＡＷ）に設定されている状態（Ｓ１３１を肯定判定）では、電子カメラは画質モード１（ＲＡＷ）と画質モード５（ＢＡＳＩＣ）との両方を選択する（Ｓ１３２）ようにした。したがって、画像処理を行うホワイトバランスブラケティングモードの設定と、画像処理を施さずに記録する画質モード１の選択とが両立しないように制御できるので、互いの動作が競合することを防止できる。
【００８５】
（２）電子カメラがホワイトバランスブラケティングモードに設定されている状態（Ｓ１０４を肯定判定）で、Ｑ＝４（画質モード２（ＴＩＦＦ））→Ｑ＝５（画質モード１（ＲＡＷ））への変更を禁止し（Ｓ１０５を肯定判定およびＳ１０６をスキップ）、Ｑ＝０（ＲＡＷ＋ＢＡＳＩＣ）へ変更する（Ｓ１０９）。また、電子カメラがＱ＝０（ＲＡＷ＋ＢＡＳＩＣ）→Ｑ＝５（画質モード１（ＲＡＷ））への変更操作されたとき（Ｓ１１１を肯定変定）、ホワイトバランスブラケティングモードに設定されている場合（Ｓ１１３を肯定判定）は変更を禁止する（Ｓ１１４をスキップ）ようにした。したがって、画像処理を行うホワイトバランスブラケティングモードの設定と、画像処理を施さずに記録する画質モード１の選択とが両立しないように制御できるので、互いの動作が競合することを防止できる。
【００８６】
（３）上記（１）および（２）において、画像処理を施さない画像データを画質モード１（ＲＡＷ）で、ホワイトバランスブラケティング処理後の画像データを画質モード５（ＢＡＳＩＣ）で、それぞれ記録する（ＲＡＷ＋ＢＡＳＩＣ）ようにしたので、第一の実施の形態と同様に、使用者の意図通りに画像データを記録することができ、記録媒体１２６の記録エリアの消費を抑えることもできる。
【００８７】
図９のフローチャートは、図８による設定処理の変形例を示すものである。図９のフローチャートにおいて、図８のフローチャートと同一処理を行うステップには図８と同一ステップ番号を付して説明を省略する。図９における図８との相違点は、ステップＳ１０５を肯定判定した後にステップＳ１５１が挿入される点と、ステップＳ１１３を肯定判定した後にステップＳ１５２が挿入される点と、ステップＳ１３２の後ろにステップＳ１５３が挿入される点である。
【００８８】
図９のステップＳ１５１において、演算回路１０１は、画質モード（記録画質）を示す「ＲＡＷ」セグメントを表示装置１０２に所定時間（２〜１０秒のいずれかの値）点滅表示させてステップＳ１０９へ進む。
【００８９】
ステップＳ１５２において、演算回路１０１は、画質モード（記録画質）を示す「ＲＡＷ」セグメントを表示装置１０２に所定時間（２〜１０秒のいずれかの値）点滅表示させてステップＳ１０７へ進む。
【００９０】
ステップＳ１５３において、演算回路１０１は、画質モード（記録画質）を示す「ＲＡＷ」セグメントを表示装置１０２に所定時間（２〜１０秒のいずれかの値）点滅表示させてステップＳ１２２へ進む。
【００９１】
ステップＳ１５１、Ｓ１５２、Ｓ１５３では、それぞれ電子カメラがＱ＝０（ＲＡＷ＋ＢＡＳＩＣ）へ変更した場合、もしくはＱ＝０を保持した場合に「ＲＡＷ」を示す表示を点滅させたので、使用者に対して変更動作を報知することができる。
【００９２】
以上の説明では、ブラケティング処理の対象としてホワイトバランス処理を例にあげて説明したが、輪郭強調処理や画素補間処理などの他の画像処理であってもよい。
【００９３】
ホワイトバランスブラケティング処理として、基準の処理に対してミレッド値を＋方向および−方向のそれぞれに変えて処理する例を説明したが、いずれか一方向へのみ変化させてもよい。
【００９４】
ホワイトバランスブラケティング処理の結果として３通りの画像データを得るように説明したが、２通りの画像を得るようにしてもよく、４通りの画像データを得るようにしてもよい。
【００９５】
以上の説明はあくまで一例であり、上記の実施形態の構成に何ら限定されるものではない。
【図面の簡単な説明】
【００９６】
【図１】本発明の第一の実施の形態による電子カメラの構成を示すブロック図である。
【図２】電子カメラの演算回路で行われるカメラ動作処理の流れを説明するフローチャートである。
【図３】設定処理の流れを説明するフローチャートである。
【図４】表示処理の流れを説明するフローチャートである。
【図５】撮像シーケンス処理の流れを説明するフローチャートである。
【図６】撮像シーケンス処理の流れを説明するフローチャートである。
【図７】撮像シーケンス処理の流れを説明するフローチャートである。
【図８】第二の実施の形態による設定処理の流れを説明するフローチャートである。
【図９】設定処理の変形例を説明するフローチャートである。
【符号の説明】
【００９７】
１０１…演算回路
１０２…表示装置
１２１…撮像素子
１２３…画像処理回路
１２６…記録媒体
ＳＷ１…画質モードボタンに連動するスイッチ
ＳＷ２…ホワイトバランスブラケティングボタンに連動するスイッチ
ＳＷ３、ＳＷ４…コマンドダイヤルに連動するスイッチ
【図１】
2008306743.tif 000003
【図２】
2008306743.tif 000004
【図３】
2008306743.tif 000005
【図４】
2008306743.tif 000006
【図５】
2008306743.tif 000007
【図６】
2008306743.tif 000008
【図７】
2008306743.tif 000009
【図８】
2008306743.tif 000010
【図９】
2008306743.tif 000011
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
被写体像を撮像して画像データを出力する撮像手段と、
前記撮像手段に撮像を指示する撮像指示手段と、
前記撮像指示手段からの撮像指示に応じて前記撮像手段から出力された第１画像データを一時的に記憶する一時記憶手段と、
前記一時記憶手段に記憶された前記第１画像データに対して第１パラメータを用いて画像処理して第２画像データを生成する画像処理手段と、
前記第１画像データおよび前記第２画像データをそれぞれ記録する記録手段と、
前記第２画像データの生成に加えて、前記第１画像データに対して前記第１パラメータと異なる第２パラメータを用いて画像処理して第３画像データを生成するように前記画像処理手段へ指示する指示手段と、
前記指示手段によって前記指示がなされた場合に、前記第１画像データおよび前記第２画像データに加えて前記第３画像データを記録するように前記記録手段を制御する制御手段とを備えることを特徴とする電子カメラ。
【請求項２】
請求項１に記載の電子カメラにおいて、
前記第１パラメータおよび前記第２パラメータは、画像の色処理を行うためのパラメータであることを特徴とする電子カメラ。
【手続補正２】
【補正対象書類名】明細書
【補正対象項目名】０００１
【補正方法】変更
【補正の内容】
【０００１】
本発明は、電子カメラに関する。
【手続補正３】
【補正対象書類名】明細書
【補正対象項目名】０００４
【補正方法】変更
【補正の内容】
【０００４】
一方、撮像された画像データに画像処理をしないで「ＲＡＷデータ」のまま記録したいという要求もある。しかし、ＷＢブラケティングを行う設定と、「ＲＡＷデータ」を含んで記録する設定とがともに行われた場合、ＲＡＷデータは画像処理をしないで記録するため、ＲＡＷデータに対してＷＢブラケティングを行っても無意味である。
【手続補正４】
【補正対象書類名】明細書
【補正対象項目名】０００５
【補正方法】変更
【補正の内容】
【０００５】
本発明は、ＷＢブラケティングを行う設定と、ＲＡＷデータを含んで記録する設定とがともに行われた場合、ＷＢブラケティングを適切に行うことができる電子カメラを提供するものである。
【手続補正５】
【補正対象書類名】明細書
【補正対象項目名】０００６
【補正方法】変更
【補正の内容】
【０００６】
本発明による電子カメラは、被写体像を撮像して画像データを出力する撮像手段と、撮像手段に撮像を指示する撮像指示手段と、撮像指示手段からの撮像指示に応じて撮像手段から出力された第１画像データを一時的に記憶する一時記憶手段と、一時記憶手段に記憶された第１画像データに対して第１パラメータを用いて画像処理して第２画像データを生成する画像処理手段と、第１画像データおよび第２画像データをそれぞれ記録する記録手段と、第２画像データの生成に加えて、第１画像データに対して第１パラメータと異なる第２パラメータを用いて画像処理して第３画像データを生成するように画像処理手段へ指示する指示手段と、指示手段によって指示がなされた場合に、第１画像データおよび第２画像データに加えて第３画像データを記録するように記録手段を制御する制御手段とを備えることを特徴とする。
【手続補正６】
【補正対象書類名】明細書
【補正対象項目名】０００７
【補正方法】変更
【補正の内容】
【０００７】
本発明によれば、撮像手段から出力された第１画像データに対して異なるパラメータを用いて画像処理する（たとえばＷＢブラケティングを行う）設定と、上記第１画像データ（ＲＡＷデータ）を含めて記録する設定とがともに行われた場合の画像処理を適切に行う電子カメラを提供できる。